(57)【要約】【課題】階調ビット数や走査線数に関わりなく、より適した駆動タイミングを設定することが可能な、表示装置の駆動方法、および表示装置を提供する。【解決手段】マトリクス状に配置されるデータ線および走査線の交差箇所それぞれに、対応して配置される画素回路と、走査線に走査信号を供給することにより、１水平期間ごとに走査線を排他的に選択する走査線駆動回路と、データ線にデータ信号を供給することにより、選択された走査線に接続されている画素回路にデータ信号を供給するデータ線駆動回路とを備え、サブフレームごとに画素回路をオン状態またはオフ状態とさせることによって画像を表示画面に表示させる、表示装置の駆動方法であって、サブフレームのパルス幅を水平期間単位で設定し、サブフレームごとのパルス幅の水平期間数をサブフレームの数で除したときに余りが１水平期間となるように、水平期間数を設定する、表示装置の駆動方法が提供される。【選択図】図１
2015125427.tif 000002
【特許請求の範囲】
【請求項１】
マトリクス状に配置される複数のデータ線および複数の走査線の交差箇所それぞれに、対応して配置される複数の画素回路と、
前記走査線それぞれに走査信号を供給することにより、１水平期間ごとに前記走査線を排他的に選択する走査線駆動回路と、
複数の前記データ線に、前記画素回路をオン状態またはオフ状態とするデータ信号を供給することにより、選択された前記走査線に接続されている前記画素回路である選択画素回路に、前記データ信号を供給するデータ線駆動回路と、
を備え、
１フレームが分割された複数のサブフレームごとに、前記画素回路をオン状態またはオフ状態とさせることによって、階調数が複数の階調表現で画像を表示画面に表示させる、表示装置の駆動方法であって、
前記サブフレームのパルス幅を、水平期間単位で設定し、
前記サブフレームごとのパルス幅の水平期間数を、前記サブフレームの数で除したときに余りが１水平期間となるように、前記水平期間数を設定することを特徴とする、表示装置の駆動方法。
【請求項２】
前記サブフレームの数個の水平期間を１ユニットとして、前記１ユニット内の水平期間それぞれに対応するサブフレームを設定し、
前記水平期間ごとに、対応するサブフレームのデータ信号を順次前記データ線に供給して、選択された前記走査線に接続されている前記画素回路に前記データ信号を供給し、
前記１ユニットを、前記１フレームの間連続して繰り返すことを特徴とする、請求項１に記載の表示装置の駆動方法。
【請求項３】
前記走査線の数が、階調数に１を加えた数よりも大きい場合、前記１フレームにおける前記ユニットの数を前記走査線の数とすることを特徴とする、請求項２に記載の表示装置の駆動方法。
【請求項４】
前記走査線の数が、階調数に１を加えた数よりも大きくない場合、前記１フレームにおける前記ユニットの数を階調数に１を加えた数とすることを特徴とする、請求項２に記載の表示装置の駆動方法。
【請求項５】
前記１フレームにおける前記ユニットの数から１を減じた数が、前記階調数の整数倍ではない場合、複数の前記サブフレームのうちの１つのサブフレームでは、前記画素回路を常にオフ状態とすることを特徴とする、請求項３に記載の表示装置の駆動方法。
【請求項６】
前記画素回路を常にオフ状態とするサブフレームのパルス幅は、前記１フレームにおける前記ユニットの数と前記１フレームのサブフレームの数とを乗じた数から、前記画素回路を常にオフ状態とするサブフレーム以外のサブフレームのパルス幅の総和を、減じた水平期間となることを特徴とする、請求項５に記載の表示装置の駆動方法。
【請求項７】
マトリクス状に配置される複数のデータ線および複数の走査線の交差箇所それぞれに、対応して配置される複数の画素回路と、
前記走査線それぞれに走査信号を供給することにより、１水平期間ごとに前記走査線を排他的に選択する走査線駆動回路と、
複数の前記データ線に、前記画素回路をオン状態またはオフ状態とするデータ信号を供給することにより、選択された前記走査線に接続されている前記画素回路である選択画素回路に、前記データ信号を供給するデータ線駆動回路と、
を備え、
１フレームが分割された複数のサブフレームごとに、前記画素回路をオン状態またはオフ状態とさせることによって、階調数が複数の階調表現で画像を表示画面に表示させ、
前記サブフレームのパルス幅を、水平期間単位で設定し、
前記サブフレームごとのパルス幅の水平期間数を、前記１フレームのサブフレームの数で除したときに余りが１水平期間となるように、前記水平期間数を設定することを特徴とする、表示装置。
【請求項８】
前記データ線駆動回路は、
前記サブフレームの数個の水平期間を１ユニットとして、前記１ユニット内の水平期間それぞれに対応するサブフレームを設定し、
前記水平期間ごとに、対応するサブフレームのデータ信号を順次前記データ線に供給して、選択された前記走査線に接続されている前記画素回路に前記データ信号を供給し、
前記１ユニットを、前記１フレームの間連続して繰り返すことを特徴とする、請求項７に記載の表示装置。
【発明の詳細な説明】
【技術分野】
【０００１】
本発明は、表示装置の駆動方法、および表示装置に関する。
【背景技術】
【０００２】
近年、有機ＥＬディスプレイ（Organic  Electro-Luminescence  Display。または、ＯＬＥＤディスプレイ（Organic  Light  Emitting  Diode  Display）とも呼ばれる。）など、供給される電流に応じた強度で発光する発光素子を有する表示装置が開発されている。上記のような表示装置では、例えば、１フレーム（Frame）を複数のサブフレーム（Sub  Frame）に分割し、分割した各サブフレームにおいて、発光素子をオン（On）状態またはオフ（Off）状態として、１フレームにおいて画素がオンする時間の割合を変化させることによって階調表示を行う、いわゆるサブフレーム駆動方法が用いられる。サブフレーム駆動方法が用いられることによって、上記のような表示装置では、例えば、各画素における駆動トランジスタ（Transistor）のゲート（Gate）端子電位レベル（Level）のばらつきや、駆動トランジスタの特性ばらつきなどによる表示ムラの影響を、低減することが可能となる。しかしながら、サブフレーム駆動方法が用いられる場合において階調表示をより正確に行うためには、階調ビット（Bit）数や走査線数に応じて駆動タイミング（Timing）を厳密に設定する必要がある。
【０００３】
このような中、サブフレーム駆動方法が用いられる場合において、駆動タイミングの最適化を図るための技術が開発されている。サブフレーム駆動方法が用いられる場合において、駆動タイミングの最適化を図るための技術としては、例えば、特許文献１に記載の技術や、特許文献２に記載の技術が挙げられる。
【先行技術文献】
【特許文献】
【０００４】
【特許文献１】特開２００４−２７１８９９号公報
【特許文献２】特開２００８−０５８９２１号公報
【発明の概要】
【発明が解決しようとする課題】
【０００５】
例えば、特許文献１に記載の技術や、特許文献２に記載の技術などの既存の技術を用いる場合には、サブフレーム駆動方法が用いられる表示装置における、より最適な駆動タイミングを作成することができる可能性はある。しかしながら、上記のような既存の技術が用いられる場合には、各サブフレームの重み付けを、各走査線において選択時間が重複しないように適宜調整しながら設定しなければならない。よって、上記のような既存の技術を用いる場合には、階調ビット数および走査線数が増大するにつれ、実質的に各サブフレームの重み付けの調整が困難となる。
【０００６】
本発明は、上記問題に鑑みてなされたものであり、本発明の目的とするところは、サブフレーム駆動方法が用いられる場合において、階調ビット数や走査線数に関わりなく、より適した駆動タイミングを設定することが可能な、新規かつ改良された表示装置の駆動方法、および表示装置を提供することにある。
【課題を解決するための手段】
【０００７】
上記目的を達成するために、本発明の第１の観点によれば、マトリクス状に配置される複数のデータ線および複数の走査線の交差箇所それぞれに、対応して配置される複数の画素回路と、上記走査線それぞれに走査信号を供給することにより、１水平期間ごとに上記走査線を排他的に選択する走査線駆動回路と、複数の上記データ線に、上記画素回路をオン状態またはオフ状態とするデータ信号を供給することにより、選択された上記走査線に接続されている上記画素回路である選択画素回路に、上記データ信号を供給するデータ線駆動回路と、を備え、１フレームが分割された複数のサブフレームごとに、上記画素回路をオン状態またはオフ状態とさせることによって、階調数が複数の階調表現で画像を表示画面に表示させる、表示装置の駆動方法であって、上記サブフレームのパルス幅を、水平期間単位で設定し、上記サブフレームごとのパルス幅の水平期間数を、上記サブフレームの数で除したときに余りが１水平期間となるように、上記水平期間数を設定する、表示装置の駆動方法が提供される。
【０００８】
かかる方法が用いられることによって、サブフレーム駆動方法が用いられる場合において、階調ビット数や走査線数に関わりなく、より適した駆動タイミングを設定することができる。
【０００９】
また、上記サブフレームの数個の水平期間を１ユニットとして、上記１ユニット内の水平期間それぞれに対応するサブフレームを設定し、上記水平期間ごとに、対応するサブフレームのデータ信号を順次上記データ線に供給して、選択された上記走査線に接続されている上記画素回路に上記データ信号を供給し、上記１ユニットを、上記１フレームの間連続して繰り返してもよい。
【００１０】
また、上記走査線の数が、階調数に１を加えた数よりも大きい場合、上記１フレームにおける上記ユニットの数を上記走査線の数としてもよい。
【００１１】
また、上記走査線の数が、階調数に１を加えた数よりも大きくない場合、上記１フレームにおける上記ユニットの数を階調数に１を加えた数としてもよい。
【００１２】
また、上記１フレームにおける上記ユニットの数から１を減じた数が、上記階調数の整数倍ではない場合、複数の上記サブフレームのうちの１つのサブフレームでは、上記画素回路を常にオフ状態としてもよい。
【００１３】
また、上記画素回路を常にオフ状態とするサブフレームのパルス幅は、上記１フレームにおける上記ユニットの数と上記１フレームのサブフレームの数とを乗じた数から、上記画素回路を常にオフ状態とするサブフレーム以外のサブフレームのパルス幅の総和を、減じた水平期間となってもよい。
【００１４】
また、上記目的を達成するために、本発明の第２の観点によれば、マトリクス状に配置される複数のデータ線および複数の走査線の交差箇所それぞれに、対応して配置される複数の画素回路と、上記走査線それぞれに走査信号を供給することにより、１水平期間ごとに上記走査線を排他的に選択する走査線駆動回路と、複数の上記データ線に、上記画素回路をオン状態またはオフ状態とするデータ信号を供給することにより、選択された上記走査線に接続されている上記画素回路である選択画素回路に、上記データ信号を供給するデータ線駆動回路と、を備え、１フレームが分割された複数のサブフレームごとに、上記画素回路をオン状態またはオフ状態とさせることによって、階調数が複数の階調表現で画像を表示画面に表示させ、上記サブフレームのパルス幅を、水平期間単位で設定し、上記サブフレームごとのパルス幅の水平期間数を、上記１フレームのサブフレームの数で除したときに余りが１水平期間となるように、上記水平期間数を設定する表示装置が提供される。
【００１５】
かかる構成によって、サブフレーム駆動方法が用いられる場合において、階調ビット数や走査線数に関わりなく、より適した駆動タイミングを設定することができる。
【００１６】
また、上記データ線駆動回路は、上記サブフレームの数個の水平期間を１ユニットとして、上記１ユニット内の水平期間それぞれに対応するサブフレームを設定し、上記水平期間ごとに、対応するサブフレームのデータ信号を順次上記データ線に供給して、選択された上記走査線に接続されている上記画素回路に上記データ信号を供給し、上記１ユニットを、上記１フレームの間連続して繰り返してもよい。
【発明の効果】
【００１７】
本発明によれば、サブフレーム駆動方法が用いられる場合において、階調ビット数や走査線数に関わりなく、より適した駆動タイミングを設定することができる。
【図面の簡単な説明】
【００１８】
【図１】本発明の実施形態に係る表示装置の構成の一例を示す説明図である。
【図２】本発明の実施形態に係る表示装置が有する画素回路の構成の一例を示す説明図である。
【図３】第１の実施形態に係る表示装置の駆動方法に係る、表示装置の駆動タイミングの設定手順の一例を説明するための説明図である。
【図４】第１の実施形態に係る表示装置の駆動方法に係る、表示装置の駆動タイミングの設定手順の一例を説明するための説明図である。
【図５】第１の実施形態に係る表示装置の駆動方法に係る、表示装置の駆動タイミングの設定結果の一例を説明するための説明図である。
【図６】第１の実施形態に係る表示装置の駆動方法を用いる表示装置における駆動タイミングの一例を示す説明図である。
【図７】第１の実施形態に係る表示装置の駆動方法を用いる表示装置における走査線の選択の推移を示す説明図である。
【図８】第２の実施形態に係る表示装置の駆動方法に係る、表示装置の駆動タイミングの設定手順の一例を説明するための説明図である。
【図９】第２の実施形態に係る表示装置の駆動方法に係る、表示装置の駆動タイミングの設定結果の一例を説明するための説明図である。
【図１０】第２の実施形態に係る表示装置の駆動方法を用いる表示装置における走査線の選択の推移を示す説明図である。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
（本発明の実施形態に係る表示装置）
本発明の実施形態に係る表示装置の駆動方法について説明する前に、本発明の実施形態に係る表示装置の駆動方法に係る処理を行うことが可能な、本発明の実施形態に係る表示装置の構成の一例について説明する。なお、本発明の実施形態に係る表示装置の構成が、後述する例に限られないことは、言うまでもない。
【００２１】
以下では、本発明の実施形態に係る表示装置が、有機ＥＬ素子を発光素子として有する有機ＥＬディスプレイである場合を例に挙げる。なお、本発明の実施形態に係る表示装置は、有機ＥＬディスプレイに限られない。例えば、本発明の実施形態に係る表示装置としては、無機ＥＬ素子（Inorganic  Electro  Luminescence  Element）など、電流が流れることにより発光する任意の発光素子を有する表示装置や、液晶ディスプレイ（Liquid  Crystal  Display）など、サブフレーム駆動方法を適用することが可能な、任意の表示装置が挙げられる。
【００２２】
［Ｉ］本発明の実施形態に係る表示装置の構成の一例
図１は、本発明の実施形態に係る表示装置１００の構成の一例を示す説明図である。
【００２３】
表示装置１００は、例えば、表示部１０２と、走査線駆動回路１０４と、データ線駆動回路１０６（Data  Line  Drive  Circuit）とを備える。
【００２４】
表示部１０２は、複数の画素回路１１０を有し、データ信号に対応する画像を表示画面に表示させる。画素回路１１０それぞれは、例えば、行状に配されたｍ（ｍは、２以上の整数。）本の走査線ＳＬと列状に配されたｎ本（ｎは、２以上の整数。）のデータ線Ｄとの交差箇所それぞれに対応して、マトリクス（Matrix）状に配置される。画素回路１１０の構成の一例については、後述する。
【００２５】
以下では、ｍ本の走査線ＳＬのうちの１つの走査線を、「走査線ＳＬｉ」または「ＳＬｉ」（ｉは、１≦ｉ≦ｍの整数）と示す。また、以下では、ｎ本のデータ線Ｄのうちの１つのデータ線を、「データ線Ｄｊ」または「Ｄｊ」（ｊは、１≦ｊ≦ｎの整数）と示す。
【００２６】
また、表示部１０２には、例えば、タイミングコントローラ（Timing  Controller）（図示せず）などの上位の制御回路（図示せず）から、発光素子用電源電圧ＥＬＶＤＤと発光素子用電源電圧ＥＬＶＳＳとがそれぞれ供給される。発光素子用電源電圧ＥＬＶＤＤと発光素子用電源電圧ＥＬＶＳＳとは、例えば、画素回路１１０が有する発光素子を発光させるための電流を供給する信号である。
【００２７】
ここで、画素回路１１０が有する発光素子を発光させるための電流は、例えば、１フレーム期間発光素子を発光させて、全白輝度が得られる電流値に設定される。発光素子用電源電圧ＥＬＶＤＤは、電源線を介して各画素回路１１０に供給され、発光素子用電源電圧ＥＬＶＳＳは、共通電極（図示せず）から各画素回路１１０に供給される。
【００２８】
走査線駆動回路１０４は、複数の走査線ＳＬと接続され、走査線ＳＬそれぞれに走査信号を供給する。走査線駆動回路１０４が、走査線ＳＬそれぞれに走査信号を供給することによって、１水平期間ごとに複数の走査線ＳＬが排他的に選択される。
【００２９】
より具体的には、走査線駆動回路１０４は、例えば、制御回路（図示せず）から供給されるアドレス（Address）Ａｄｙで指定された行の走査線ＳＬｉに対して、Ｌレベル（Low  Level）の走査信号を、排他的に出力する。走査線駆動回路１０４は、例えば、アドレスデコーダ（Address  Decoder）などで構成される。なお、図１では、アドレスＡｄｙが８ビットのデータである例を示しているが、アドレスＡｄｙが８ビットのデータに限られないことは、言うまでもない。
【００３０】
データ線駆動回路１０６は、複数のデータ線Ｄｎと接続され、複数のデータ線Ｄｎにデータ信号を供給することにより、選択された走査線ＳＬｍに接続されている画素回路１１０（以下、「選択画素回路」と示す場合がある。）にデータ信号を供給する。より具体的には、データ線駆動回路１０６は、例えば、制御回路（図示せず）から供給される表示データＤｓｆをサンプリング（Sampling）して、データ信号をデータ線Ｄに供給する。なお、図１では、表示データＤｓｆが８ビットのデータである例を示しているが、表示データＤｓｆが８ビットのデータに限られないことは、言うまでもない。
【００３１】
ここで、本発明の実施形態に係るデータ信号は、例えば、画素回路１１０をオン状態またはオフ状態とする信号である。本発明の実施形態に係るデータ信号としては、例えば、Ｈレベル（High  Level）またはＬレベルのデータビット（Data  Bit）を示す信号が挙げられる。以下では、本発明の実施形態に係るデータ信号を、「データビット」と示す場合がある。
【００３２】
データ線駆動回路１０６は、例えば、シフトレジスタ回路１１２（Shift  Register  Circuit）と、サンプル・ホールド回路１１４（Sample  Hold  Circuit）とを備える。
【００３３】
シフトレジスタ回路１１２は、例えば、アドレスＡｄｙによって１行の走査線が選択される期間の開始時に、制御回路（図示せず）から供給される水平同期信号Ｄｘを、クロック信号ＣＬＫ（Clock  Signal）に同期して順次シフトさせる。そして、シフトレジスタ回路１１２は、例えば、シフトした信号の幅をクロック信号ＣＬＫの半周期に狭めて、Ｈレベルのサンプリング信号Ｓ１〜Ｓｎ／ｌを、順次、排他的にサンプル・ホールド回路１１４へ伝達する。ここで、上記“ｌ”は、サンプル・ホールド回路１１４において一度に選択されるデータ線Ｄの数を示す。
【００３４】
サンプル・ホールド回路１１４は、例えば、シフトレジスタ回路１１２から伝達されるサンプリング信号Ｓ１〜Ｓｎ／ｌに基づいて、所定の数ｌのデータ線Ｄをまとめたブロック（Block）ごとに、順次データ線Ｄを選択する。例えば、表示装置１００が３２０本のデータ線を有し、所定の数ｌが“８”である場合には、サンプル・ホールド回路１１４は、シフトレジスタ回路１１２から伝達されるサンプリング信号Ｓ１〜Ｓ４０に基づいて、８本のデータ線Ｄをまとめたブロックごとに、順次データ線Ｄを選択する。
【００３５】
そして、サンプル・ホールド回路１１４は、例えば、制御回路（図示せず）から供給される表示データＤｓｆをラッチ（Latch）して保持し、１行分のデータが保持されているときに、水平同期信号Ｄｘと同期して、保持されているデータに対応するデータ信号をデータ線Ｄに一括して出力する。
【００３６】
ここで、表示データＤｓｆは、例えば、制御回路（図示せず）から供給される。制御回路（図示せず）は、例えば、ある走査線ＳＬを選択している期間に、次に選択する走査線ＳＬに対応付けられている、１行分の画素回路に対応する表示データを、サンプル信号に同期して、上記ブロックごとにまとめて供給する。
【００３７】
［ＩＩ］本発明の実施形態に係る表示装置が有する画素回路の構成の一例
図２は、本発明の実施形態に係る表示装置１００が有する画素回路１１０の構成の一例を示す説明図である。ここで、図２では、図１に示す表示部１０２を構成する複数の画素回路１１０のうち、走査線ＳＬｉとデータ線Ｄｊとの交差箇所に対応して配置される画素回路１１０を示している。また表示部１０２を構成する他の画素回路１１０については、図２に示す画素回路１１０の構成と同様の構成をとることが可能であるため、説明を省略する。なお、表示装置１００が有する画素回路１１０の構成が、図２に示す例に限られないことは、言うまでもない。
【００３８】
画素回路１１０は、例えば、発光素子ＥＬと、第１のスイッチ素子Ｍ１（Switch  Element）と、第２のスイッチ素子Ｍ２と、容量Ｃ１とを有する。
【００３９】
ここで、本発明の実施形態に係るスイッチ素子としては、例えば、ＭＯＳＦＥＴ（Metal-Oxide-Semiconductor  Field-Effect  Transistor）などのＦＥＴ（Field-Effect  Transistor）が挙げられる。図２では、第１のスイッチ素子Ｍ１と第２のスイッチ素子Ｍ２とが、Ｐチャネル（Channel）型のＭＯＳＦＥＴである例を示しているが、本発明の実施形態に係るスイッチ素子は、上記に示す例に限られない。例えば、本発明の実施形態に係るスイッチ素子は、Ｎチャネル型のＭＯＳＦＥＴであってもよい。また、図２に示す第１のスイッチ素子Ｍ１、第２のスイッチ素子Ｍ２それぞれと同様の役目を果たすことが可能であれば、本発明の実施形態に係るスイッチ素子は、ＦＥＴに限られず、任意の種類のトランジスタで構成されることも可能である。さらに、図２に示す第１のスイッチ素子Ｍ１、第２のスイッチ素子Ｍ２それぞれと同様の役目を果たすことが可能であれば、本発明の実施形態に係るスイッチ素子は、任意の回路素子であってもよい。以下では、第１のスイッチ素子Ｍ１と第２のスイッチ素子Ｍ２とが、Ｐチャネル型のＭＯＳＦＥＴである場合を例に挙げる。
【００４０】
第１のスイッチ素子Ｍ１は、ドレイン（Drain）が発光素子ＥＬのアノード（Anode）に接続され、ソース（Source）が発光素子用電源電圧ＥＬＶＤＤに接続され、データ線Ｄｊ、第２のスイッチ素子Ｍ２を介してゲートに伝達されるデータビット（データ信号）に応じて、オンまたはオフする。第２のスイッチ素子Ｍ２は、ソースがデータ線Ｄｊに接続され、ドレインが第１のスイッチ素子Ｍ１のゲートに接続され、走査線ＳＬｉを介してゲートに伝達される走査信号に応じて、オンまたはオフする。
【００４１】
容量Ｃ１は、第１のスイッチ素子Ｍ１のゲートの電位を保持する。容量Ｃ１としては、例えば、所定の静電容量を有するキャパシタ（Capacitor）が挙げられる。また、容量Ｃ１は、例えば、寄生容量であってもよい。
【００４２】
例えば、走査線ＳＬｉから伝達される走査信号がＬレベルになると、第２のスイッチ素子Ｍ２がオンし、データ線Ｄｊから伝達されるデータビットが画素回路１１０に取り込まれる。ここで、データビットは、例えば、ＨレベルまたはＬレベルの信号である。
【００４３】
また、走査線ＳＬｉから伝達される走査信号がＨレベルになると、第２のスイッチ素子Ｍ２がオフし、データ線Ｄｊから伝達されるデータビットが容量Ｃ１に保持される。
【００４４】
画素回路１１０では、データ線Ｄｊから伝達されて容量Ｃ１に保持されたデータビットの信号レベルに応じて第１のスイッチ素子Ｍ１が選択的にオン状態となることによって、発光素子ＥＬの発光状態が制御される。例えば、容量Ｃ１に保持されたデータビットの信号レベルが、Ｈレベルの場合には、第１のスイッチ素子Ｍ１はオフ状態となり、発光素子ＥＬに電流が供給されずに発光素子ＥＬは非発光状態となる。また、例えば、容量Ｃ１に保持されたデータビットの信号レベルが、Ｌレベルの場合には、第１のスイッチ素子Ｍ１はオン状態となり、発光素子ＥＬに電流が供給されて発光素子ＥＬは発光状態となる。
【００４５】
サブフレーム駆動を行う場合、表示装置１００は、１フレームを複数に分割したサブフレームそれぞれにおいて、データ線Ｄｊに供給されるデータビットをＨレベルまたはＬレベルとすることにより、画素回路１１０の非発光または発光状態を制御して、階調表示を実現する。
【００４６】
ここで、本発明の実施形態に係る１フレームとは、例えば、表示部１０２を構成する全ての画素回路１１０において階調表現に要する単位期間をいう。本発明の実施形態に係る１フレームとしては、例えば、１６．７［ミリ秒］（フレーム周波数６０［Ｈｚ］の１周期分）が挙げられる。
【００４７】
（本発明の実施形態に係る表示装置の駆動方法）
次に、本発明の実施形態に係る表示装置の駆動方法について説明する。以下では、本発明の実施形態に係る表示装置の駆動方法が、表示装置１００に適用される場合を例に挙げる。
【００４８】
［１］第１の実施形態に係る表示装置の駆動方法
［１−１］第１の実施形態に係る表示装置の駆動方法に係る、表示装置１００の駆動タイミングの設定手順
まず、第１の実施形態に係る表示装置の駆動方法に係る、表示装置１００の駆動タイミングの設定手順について説明する。表示装置１００は、後述するように、設定される駆動タイミングに基づき駆動する。
【００４９】
図３は、第１の実施形態に係る表示装置の駆動方法に係る、表示装置１００の駆動タイミングの設定手順の一例を説明するための説明図である。第１の実施形態に係る表示装置の駆動方法では、図３に示すように、走査線数ｍ＝２４０［Ｌｉｎｅ］、サブフレーム数Ｎｓｆ＝８［ＳＦ］、階調ビット数Ｎｂ＝８［ｂｉｔ］とし、表示装置１００が、２５６階調表示を行う場合を例に挙げる。以下では、８［ＳＦ］のサブフレームのそれぞれを「ＳＦ０」、「ＳＦ１」、「ＳＦ２」、…、「ＳＦ７」と示す。
【００５０】
まず、各サブフレームのデータビットを、各画素回路１１０における８［ビット］の階調データの各ビットに対応させる。
【００５１】
図４は、第１の実施形態に係る表示装置の駆動方法に係る、表示装置１００の駆動タイミングの設定手順の一例を説明するための説明図である。図４は、各サブフレームのデータビットを、各画素回路１１０における８［ビット］の階調データの各ビットに対応させる場合の一例を示している。図４に示すように、例えば、ＳＦ０をＬＳＢ（Least  Significant  Bit）に対応させ、ＳＦ７をＭＳＢ（Most  Significant  Bit）に対応させる。
【００５２】
また、ＳＦ０、ＳＦ１、ＳＦ２、…、ＳＦ７の各サブフレームの１フレーム当たりの理想的な時間的重み付けを、「ＷＩ０」、「ＷＩ１」、「ＷＩ２」、…、「ＷＩ７」と表すと、本発明の実施形態に係る各サブフレームの１フレーム当たりの理想的な時間的重み付けは、例えば、下記の数式１に示す演算により設定される。ここで、数式１に示す“ｋ”は、０≦ｋ≦Ｎｓｆ−１を満たす整数である。
【００５３】
【数１】
2015125427.tif 000003
・・・（数式１）
【００５４】
なお、本発明の実施形態では、整数ｋをサブフレームの配置を表す数値としても用いることとし、サブフレームの配置を表す数値を「ＳＦｋ」とする。
【００５５】
上記数式１より、各サブフレームの理想重み付けＷＩｋは、ＷＩ０＝１、ＷＩ１＝２、ＷＩ２＝４、…、ＷＩ７＝１２８となる。
【００５６】
１フレーム当たりの階調数Ｎｄｖは、各サブフレームの理想重み付けの総和となる。よって、１フレーム当たりの階調数Ｎｄｖは、例えば、下記の数式２に示す演算で設定される。
【００５７】
【数２】
2015125427.tif 000004
・・・（数式２）
【００５８】
上記数式２より、１フレーム当たりの階調数Ｎｄｖは、階調数Ｎｄｖ＝２５５となる。
【００５９】
走査線数ｍと階調数Ｎｄｖとの関係を、下記の数式３で示す条件式で定義する。
【００６０】
【数３】
2015125427.tif 000005
・・・（数式３）
【００６１】
また、本発明の実施形態に係るユニット（Unit）として、“サブフレーム数Ｎｓｆ個のデータ信号（ＳＦ０、ＳＦ１、ＳＦ２、…、ＳＦＮｓｆ−１のデータ信号）が供給される連続するサブフレーム数Ｎｓｆ個の水平期間”と定義する。
【００６２】
上記数式３に示す条件式が成立する場合、１フレーム当たりのユニット数Ｎｕは、例えば、下記の数式４に示す演算により設定される。
【００６３】
【数４】
2015125427.tif 000006
・・・（数式４）
【００６４】
上記数式３に示す条件式が成立する場合には、１フレームをｍ個の均等な期間に分割し、分割した各期間が、１ユニットに該当する。
【００６５】
また、上記数式３に示す条件式が成立しない場合には、１フレーム当たりのユニット数Ｎｕは、例えば、下記の数式５に示す演算により設定される。
【００６６】
【数５】
2015125427.tif 000007
・・・（数式５）
【００６７】
上記数式３に示す条件式が成立しない場合には、１フレームをＮｄｖ＋１個の均等な期間に分割し、分割した各期間が、１ユニットに該当する。
【００６８】
第１の実施形態では、図３に示すように走査線数ｍ＝２４０であり、上記数式２より、１フレーム当たりの階調数Ｎｄｖ＝２５５であるため、１フレーム当たりのユニット数Ｎｕは、Ｎｕ＝２５６［Ｕｎｉｔ］となる。
【００６９】
ここで、上記のように１フレーム当たりのユニット数Ｎｕを求めることは、各サブフレームの重み付けを、ユニット単位で設定することを意味する。換言すれば、サブフレームの重み付けは１［Ｕｎｉｔ］が最小となる。
【００７０】
また、上記数式３に示す条件式が成立しない場合において、上記数式５では、階調数Ｎｄｖに１を加算しているが、当該加算は、加算した１［Ｕｎｉｔ］を各サブフレームの書き換えタイミングの調整に用いるためである。よって、走査線数ｍおよび階調数Ｎｄｖが変化しても、上記調整に係る期間によって、一義的に各サブフレームの書き換えタイミングを決定することが可能となる。
【００７１】
一方、上記数式３に示す条件式が成立する場合において、上記数式４では、走査線数ｍに１は加算されない。上記数式４において、走査線数ｍに１が加算されない理由は、上記数式３に示す条件式を満たしており、走査線数ｍが階調数Ｎｄｖよりも大きいため、すでに上記調整に係る期間を内包しているからである。
【００７２】
１フレーム当たりの水平期間数Ｎｄｘは、例えば下記の数式６に示す演算により設定される。
【００７３】
【数６】
2015125427.tif 000008
・・・（数式６）
【００７４】
また、１［Ｕｎｉｔ］をサブフレーム数Ｎｓｆ個の均等な期間に分割し、分割した各期間を「１［Ｈ］」と定義すると、第１の実施形態では、１フレーム当たりの水平期間数Ｎｄｘは、Ｎｄｘ＝２０４８［Ｈ］となる。
【００７５】
また、各サブフレームの水平期間単位の理想パルス（Pulse）幅ＰＩｋは、例えば下記の数式７に示す演算により設定される。ここで、数式７では、小数点以下を四捨五入するために、右辺に０．５を加算した上で、小数点以下を切り捨てている。
【００７６】
【数７】
2015125427.tif 000009
・・・（数式７）
【００７７】
上記数式７より、各サブフレームの水平期間単位の理想パルス幅は、ＰＩ０＝８［Ｈ］、ＰＩ１＝１６［Ｈ］、ＰＩ２＝３２［Ｈ］、ＰＩ３＝６４［Ｈ］、ＰＩ４＝１２８［Ｈ］、ＰＩ５＝２５６［Ｈ］、ＰＩ６＝５１２［Ｈ］、ＰＩ７＝１０２４［Ｈ］となる。
【００７８】
各サブフレームのユニット単位の実際に適用されるパルス幅ＰＵｋは、上記数式７により設定された理想パルス幅ＰＩｋに基づいて、例えば下記の数式８に示す演算により設定される。
【００７９】
【数８】
2015125427.tif 000010
・・・（数式８）
【００８０】
上記数式８より、各サブフレームのユニット単位の実際のパルス幅は、ＰＵ０＝１［Ｕｎｉｔ］、ＰＵ１＝２［Ｕｎｉｔ］、ＰＵ２＝４［Ｕｎｉｔ］、ＰＵ３＝８［Ｕｎｉｔ］、ＰＵ４＝１６［Ｕｎｉｔ］、ＰＵ５＝３２［Ｕｎｉｔ］、ＰＵ６＝６４［Ｕｎｉｔ］、ＰＵ７＝１２８［Ｕｎｉｔ］となる。
【００８１】
各サブフレームの水平期間単位の実際に適用されるパルス幅ＰＨｋは、上記数式８により設定されたユニット単位の実際のパルス幅ＰＵｋに基づいて、例えば下記の数式９に示す演算により設定される。
【００８２】
【数９】
2015125427.tif 000011
・・・（数式９）
【００８３】
上記数式９より、各サブフレームの水平期間単位の実際のパルス幅は、ＰＨ０＝９［Ｈ］、ＰＨ１＝１７［Ｈ］、ＰＨ２＝３３［Ｈ］、ＰＨ３＝６５［Ｈ］、ＰＨ４＝１２９［Ｈ］、ＰＨ５＝２５７［Ｈ］、ＰＨ６＝５１３［Ｈ］、ＰＨ７＝１０２５［Ｈ］となる。
【００８４】
ここで、上記数式９に示すように、ユニット単位の実際のパルス幅ＰＵｋとサブフレーム数Ｎｓｆの積に１［Ｈ］が加算されることによって、各ユニット内における各サブフレームの書き換えタイミングは、ｋ＝０、ｋ＝１、ｋ＝２、…、ｋ＝７の順番に固定される。この結果、第１の実施形態に係る表示装置の駆動方法が用いられる場合には、どのユニットにおいても、ＳＦ０、ＳＦ１、ＳＦ２、…、ＳＦ７の順番で、該当する走査線ＳＬが選択される。なお、第１の実施形態に係る、表示装置１００における走査線選択動作の具体例については、後述する。
【００８５】
１行目の走査線ＳＬ１の走査タイミングＳＳｋは、上記数式９により設定された各サブフレームの水平期間単位の実際のパルス幅ＰＨｋに基づいて、例えば下記の数式１０に示す演算により設定される。
【００８６】
【数１０】
2015125427.tif 000012
・・・（数式１０）
【００８７】
上記数式１０より、１行目の走査線ＳＬ１の走査タイミングＳＳｋは、ＳＳ０＝０［Ｈ］、ＳＳ１＝９［Ｈ］、ＳＳ２＝２６［Ｈ］、ＳＳ３＝５９［Ｈ］、ＳＳ４＝１２４［Ｈ］、ＳＳ５＝２５３［Ｈ］、ＳＳ６＝５１０［Ｈ］、ＳＳ７＝１０２３［Ｈ］となる。
【００８８】
各ユニットにおける各サブフレームが選択する走査線ＳＬｋは、上記数式１０により設定された１行目の走査線ＳＬ１の走査タイミングＳＳｋに基づいて、設定される。
【００８９】
より具体的には、まず、０≦Ｕｎ≦２５５を満たすユニット番号Ｕｎを用いて、下記の数式１１で示す条件式を定義する。
【００９０】
【数１１】
2015125427.tif 000013
・・・（数式１１）
【００９１】
上記数式１１に示す条件式が成立する場合、各ユニットにおける各サブフレームが選択する走査線ＳＬｋは、例えば下記の数式１２に示す演算により設定される。
【００９２】
【数１２】
2015125427.tif 000014
・・・（数式１２）
【００９３】
また、上記数式１１に示す条件式が成立しない場合には、各ユニットにおける各サブフレームが選択する走査線ＳＬｋは、例えば下記の数式１３に示す演算により設定される。
【００９４】
【数１３】
2015125427.tif 000015
・・・（数式１３）
【００９５】
第１の実施形態に係る表示装置の駆動方法が用いられる場合には、表示装置１００は、１行目の走査線ＳＬ１の走査タイミングＳＳｋで定義したタイミングを、順次シフトしながら全走査線ＳＬに対して適用する。よって、第１の実施形態に係る表示装置の駆動方法が用いられる場合には、表示装置１００は、例えば、実走査線数２４０本に仮想走査線１６本を追加した２５６本の走査線ＳＬを、一定のタイミングで選択する動作を行う。上記数式１１〜上記数式１３は、例えば、選択する走査線が２５６行目の走査線ＳＬ２５６以上になった場合に、選択する走査線ＳＬの行をリセットするための条件式に相当し、上記数式１１〜上記数式１３によって、表示装置１００では、各ユニットの各サブフレームにおける走査線選択行が決定される。
【００９６】
図５は、第１の実施形態に係る表示装置の駆動方法に係る、表示装置１００の駆動タイミングの設定結果の一例を説明するための説明図である。図５に示す１行目選択位置ＳＳＫは、メモリ（Memory）などの記録媒体に記憶され、表示装置１００は、例えば、記録媒体に記憶されている１行目選択位置ＳＳＫを適宜読み出すことによって、後述する走査線ＳＬの選択動作などの本発明の実施形態に係る表示装置の駆動方法に係る処理を行う。
【００９７】
図５に示すように、隣り合うサブフレームのパルス幅の比率である「ＰＨｋ／ＰＨｋ−１（ｋ＞０）」は、理想的な重み付けの比率である「ＷＩｋ／ＷＩｋ−１＝２．０（ｋ＞０）」に略一致している。よって、表示装置１００は、各サブフレームのデータビットを、例えば図４に示す組み合わせで適宜制御することによって、０〜２５５階調までの発光輝度制御を、より正確に行うことができる。
【００９８】
［１−２］第１の実施形態に係る表示装置の駆動方法に係る、走査線ＳＬの選択動作の一例
次に、第１の実施形態に係る表示装置の駆動方法を用いる表示装置１００における、走査線ＳＬの選択動作の一例について説明する。
【００９９】
図６は、第１の実施形態に係る表示装置の駆動方法を用いる表示装置１００における駆動タイミングの一例を示す説明図である。また、図７は、第１の実施形態に係る表示装置の駆動方法を用いる表示装置１００における走査線ＳＬの選択の推移を示す説明図である。ここで、図６は、表示装置１００が３２０本のデータ線Ｄと２４０本の走査線ＳＬとを有し、サンプル・ホールド回路１１４が、シフトレジスタ回路１１２から伝達されるサンプリング信号Ｓ１〜Ｓ４０に基づいて、８本のデータ線Ｄをまとめたブロックごとに順次データ線Ｄを選択する場合における、駆動タイミングの一例を示している。
【０１００】
表示装置１００は、サブフレーム配置順ｋを、水平同期信号Ｄｘに同期して０〜７までインクリメント（Increment）し、ｋ＝７になると水平同期信号Ｄｘに同期して０にリセット（Reset）することを繰り返す。
【０１０１】
また、表示装置１００は、垂直同期信号Ｄｙに同期してユニット番号Ｕｎを０にリセットし、サブフレーム配置順ｋが０にリセットされるタイミングに同期して、ユニット番号Ｕｎを０〜２５５までインクリメントする。
【０１０２】
表示装置１００は、例えば上記のような動作によって、ｋ＝０〜ｋ＝７までの８［Ｈ］を１［Ｕｎｉｔ］に設定する。
【０１０３】
また、表示装置１００は、例えば図５に示すような、上述した第１の実施形態に係る駆動タイミングの設定結果に基づいて、選択する走査線ＳＬｉを決定する。
【０１０４】
例えば、ユニット番号Ｕｎが０、サブフレーム配置順ｋが０の１水平期間では、サブフレームＳＦ０のデータビット書き込みとして、アドレスＡｄｙは１となり、表示装置１００は、１行目の走査線ＳＬ１を選択する。よって、上記の場合、表示装置１００の走査線駆動回路１０４は、例えば、Ｌレベルの走査信号を走査線ＳＬ１に出力する。
【０１０５】
また、例えば、サブフレーム配置順ｋが１の１水平期間では、サブフレームＳＦ１のデータビット書き込みとして、アドレスＡｄｙは２５６となり、表示装置１００は、２５６行目の仮想走査線を選択する。
【０１０６】
同様に、ユニット番号Ｕｎが１、サブフレーム配置順ｋが０の１水平期間では、サブフレームＳＦ０のデータビット書き込みとして、アドレスＡｄｙは２となり、表示装置１００は、２行目の走査線ＳＬ２を選択する。よって、上記の場合、表示装置１００の走査線駆動回路１０４は、例えば、Ｌレベルの走査信号を走査線ＳＬ２に出力する。
【０１０７】
上記のような動作を繰り返すことによって、表示装置１００は、例えば図７に示す１フレーム期間での各サブフレームの走査線選択の推移のように、１行目の走査線ＳＬ１の走査タイミングＳＳｋを、順次シフトしながら全走査線ＳＬに対して適用することができる。なお、図７においてＡで示す領域は、仮想走査線の選択領域であり、実際の表示には影響を及ぼさない。
【０１０８】
［２］第２の実施形態に係る表示装置の駆動方法
［２−１］第２の実施形態に係る表示装置の駆動方法に係る、表示装置１００の駆動タイミングの設定手順
次に、第２の実施形態に係る表示装置の駆動方法として、上記第１の実施形態に係る表示装置の駆動方法に係る条件と異なる条件における、駆動方法について説明する。
【０１０９】
図８は、第２の実施形態に係る表示装置の駆動方法に係る、表示装置１００の駆動タイミングの設定手順の一例を説明するための説明図である。第２の実施形態に係る表示装置の駆動方法では、上記数式３で示す条件式が成立する場合について説明するために、図８に示すように、走査線数ｍ＝４８０［Ｌｉｎｅ］、階調ビット数Ｎｂ＝８［ｂｉｔ］とし、表示装置１００が、２５６階調表示を行う場合を例に挙げる。また、第２の実施形態に係る表示装置の駆動方法では、各サブフレームの理想重み付けＷＩｋは、ＷＩ０＝１、ＷＩ１＝２、ＷＩ２＝４、…、ＷＩ７＝１２８であり、階調数Ｎｄｖ＝２５５である場合を例に挙げる。
【０１１０】
上記数式３、上記数式４より、１フレーム当たりのユニット数Ｎｕは、Ｎｕ＝４８０［Ｕｎｉｔ］となる。
【０１１１】
１フレーム当たりのユニット数Ｎｕと階調数Ｎｄｖの関係を、下記の数式１４で示す条件式で定義する。
【０１１２】
【数１４】
2015125427.tif 000016
・・・（数式１４）
【０１１３】
上記数式１４に示す条件式が成立する場合、つまり、（Ｎｕ−１）が階調数Ｎｄｖの整数倍でない場合には、サブフレーム数Ｎｓｆは、“階調表示に必要なサブフレーム数に非発光用サブフレームを１ＳＦ加えた数”にすることが望ましい。
【０１１４】
ここで、上記数式１４に示す条件式が成立するということは、各サブフレームの重み付けに割り振ることができない余りのユニットが生じることを意味する。上記余りのユニットを発光に用いると、１フレームの発光比率が狂ってしまうので、表示装置１００が、各サブフレームのデータビットを例えば図４に示す組合せで制御しても、０〜２５５階調までの発光輝度制御を正確に行うことができない。
【０１１５】
そこで、第２の実施形態に係る表示装置の駆動方法では、例えば、非発光用サブフレームを設けて、余りユニットを非発光用サブフレームに割り振ることとし、また、当該非発光用サブフレームの期間では、全画素に対してＨレベルのデータビットを書き込むこととする。つまり、複数のサブフレームのうちの１つのサブフレームである非発光用サブフレームでは、例えば、画素回路が常にオフ状態とされる。上記によって、第２の実施形態に係る表示装置の駆動方法を用いる表示装置１００では、余りユニットが１フレームの発光比率に影響を及ぼすことがなくなるので、表示装置１００は、発光輝度制御を正確に行うことができる。
【０１１６】
第２の実施形態に係る表示装置の駆動方法では、例えば、階調表示に必要なサブフレーム数８［ＳＦ］に非発光用サブフレーム１［ＳＦ］を加えて、サブフレーム数Ｎｓｆ＝９［ＳＦ］とする。また、第２の実施形態に係る表示装置の駆動方法では、例えば、非発光用サブフレームはＳＦ８とし、理想重み付けＷＩ８＝０に設定する。
【０１１７】
なお、数式１４に示す条件式が成立しない場合には、余りユニットが生じない。よって、数式１４に示す条件式が成立しない場合、第２の実施形態に係る表示装置の駆動方法では、非発光用サブフレームを設ける必要はない。
【０１１８】
上記数式７に従って各サブフレームの水平期間単位の理想パルス幅ＰＩｋを設定すると、ＰＩ０＝８［Ｈ］、ＰＩ１＝１６［Ｈ］、ＰＩ２＝３２［Ｈ］、ＰＩ３＝６４［Ｈ］、ＰＩ４＝１２８［Ｈ］、ＰＩ５＝２５６［Ｈ］、ＰＩ６＝５１２［Ｈ］、ＰＩ７＝１０２４［Ｈ］、ＰＩ０＝０［Ｈ］となる。
【０１１９】
また、上記数式８に従って各サブフレームのユニット単位の実際に適用されるパルス幅ＰＵｋを設定すると、ＰＵ０＝１［Ｕｎｉｔ］、ＰＵ１＝３［Ｕｎｉｔ］、ＰＵ２＝７［Ｕｎｉｔ］、ＰＵ３＝１５［Ｕｎｉｔ］、ＰＵ４＝３０［Ｕｎｉｔ］、ＰＵ５＝６０［Ｕｎｉｔ］、ＰＵ６＝１２０［Ｕｎｉｔ］、ＰＵ７＝２４０［Ｕｎｉｔ］となる。
【０１２０】
非発光用サブフレームＳＦ８は、例えば下記の数式１５で設定される。
【０１２１】
【数１５】
2015125427.tif 000017
・・・（数式１５）
【０１２２】
上記数式１５より、非発光用サブフレームＳＦ８の実際のパルス幅ＰＵ８は、ＰＵ８＝３となる。
【０１２３】
上記数式９に従って各サブフレームの水平期間単位の実際に適用されるパルス幅ＰＨｋを設定すると、ＰＨ０＝１０［Ｈ］、ＰＨ１＝２８［Ｈ］、ＰＨ２＝６４［Ｈ］、ＰＨ３＝１３６［Ｈ］、ＰＨ４＝２７１［Ｈ］、ＰＨ５＝５４１［Ｈ］、ＰＨ６＝１０８１［Ｈ］、ＰＨ７＝２１６１［Ｈ］、ＰＨ８＝２８［Ｈ］となる。ここで、非発光用サブフレームＳＦ８の水平期間単位の実際に適用されるパルス幅ＰＨ８は、上記数式９と上記数式１５より、“１フレームにおけるユニットの数Ｎｕと１フレームのサブフレームの数Ｎｆｓとを乗じた数から、非発光用サブフレーム（画素回路を常にオフ状態とするサブフレーム）以外のサブフレームのパルス幅の総和を、減じた水平期間”に該当する。
【０１２４】
上記数式１０に従って、１行目の走査線ＳＬ１の走査タイミングＳＳｋを設定すると、ＳＳ０＝０［Ｈ］、ＳＳ１＝１０［Ｈ］、ＳＳ２＝３８［Ｈ］、ＳＳ３＝１０２［Ｈ］、ＳＳ４＝２３８［Ｈ］、ＳＳ５＝５０９［Ｈ］、ＳＳ６＝１０５０［Ｈ］、ＳＳ７＝２１３１［Ｈ］、ＳＳ８＝４２９２［Ｈ］となる。
【０１２５】
第２の実施形態に係る表示装置の駆動方法では、上記第１の実施形態に係る表示装置の駆動方法と同様に、上記数式１１〜上記数式１３に従って、各ユニットにおける各サブフレームが選択する走査線ＳＬｋが設定されることによって、各ユニットの各サブフレームにおける走査線の選択行が決定される。
【０１２６】
図９は、第２の実施形態に係る表示装置の駆動方法に係る、表示装置１００の駆動タイミングの設定結果の一例を説明するための説明図である。また、図１０は、第２の実施形態に係る表示装置の駆動方法を用いる表示装置１００における走査線ＳＬの選択の推移を示す説明図である。
【０１２７】
図９に示すように、隣り合うサブフレームのパルス幅の比率である「ＰＨｋ／ＰＨｋ−１（ｋ＞０）」は、理想的な重み付けの比率である「ＷＩｋ／ＷＩｋ−１＝２．０（ｋ＞０）」に略一致している。よって、第２の実施形態に係る表示装置の駆動方法を用いる表示装置１００は、各サブフレームのデータビットを、例えば図４に示す組み合わせで適宜制御することによって、０〜２５５階調までの発光輝度制御を、より正確に行うことができる。
【０１２８】
第２の実施形態に係る表示装置の駆動方法を用いる表示装置１００は、例えば図１０に示す１フレーム期間での各サブフレームの走査線選択の推移のように、１行目の走査線ＳＬ１の走査タイミングＳＳｋを、順次シフトしながら全走査線ＳＬに対して適用することができる。なお、図９において、サブフレームＳＦ８の期間には、全画素に対してＨレベルのデータビットが書き込まれる。このため、サブフレームＳＦ８の期間は、実際の表示には影響を及ぼさない。
【０１２９】
［３］他の実施形態に係る表示装置の駆動方法
なお、本発明の実施形態に係る表示装置の駆動方法は、上記第１の実施形態に係る表示装置の駆動方法や、上記第２の実施形態に係る表示装置の駆動方法に限られない。
【０１３０】
例えば、上記第１の実施形態、上記第２の実施形態では、上記数式１に基づいて、サブフレームＳＦｋの重み付けＷＩｋを決定し、サブフレームをＬＳＢからＭＳＢの順番になるように配置したが、本発明の実施形態に係る表示装置の駆動方法では、例えば、サブフレームがＭＳＢからＬＳＢの順に配置されてもよいし、ランダムに配置されてもよい。また、本発明の実施形態に係る表示装置の駆動方法では、例えば、サブフレーム数Ｎｓｆ、階調数Ｎｄｖを決定した上で、各サブフレームの重み付けを自由に設定してもよい。
【０１３１】
また、上記第２の実施形態では、上記数式１４に示す条件式が成立する場合に、非発光用サブフレームを設けるとしたが、本発明の実施形態に係る表示装置の駆動方法では、例えば、発光素子ＥＬの特性や、表示が所望される階調特性に応じて、ある重み付けのサブフレームを設けてもよい。上記ある重み付けのサブフレームが設けられる場合、本発明の実施形態に係る表示装置の駆動方法では、当該サブフレームに対応する期間には、全画素回路に対してＨレベルのデータビットを書き込み、当該サブフレームは、結果として非発光用サブフレームとして用いられる。
【０１３２】
他の実施形態に係る表示装置の駆動方法を用いる表示装置１００は、上記いずれの場合においても、上記数式２〜上記数式１５に従って、駆動タイミングを設定することができる。
【０１３３】
［４］まとめ
以上のように、本発明の実施形態に係る表示装置の駆動方法が用いられることによって、走査線の数と、サブフレームの数と、サブフレームの配置順と、各サブフレームの重み付けとが決定されれば、例えば、１水平期間に複数のサブフレームの書き込み動作が生じたり、サブフレームの配置順が入れ替わったりすることなく、駆動タイミングを決定することができる。よって、本発明の実施形態に係る表示装置の駆動方法が用いられることによって、サブフレーム駆動方法が用いられる場合において、階調ビット数や走査線数に関わりなく、より適した駆動タイミングを設定することができる。
【０１３４】
また、本発明の実施形態に係る表示装置の駆動方法を用いる本発明の実施形態に係る表示装置は、例えば、駆動タイミングを設定して、例えば図４に示すように各サブフレームのデータビットを適宜制御することによって、階調の制御範囲における発光輝度制御を、より正確に行うことができる。
【０１３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１３６】
１００    表示装置
１０２    表示部
１０４    走査線駆動回路
１０６    データ線駆動回路
１１０    画素回路
１１２    シフトレジスタ回路
１１４    サンプル・ホールド回路
【図１】
2015125427.tif 000018
【図２】
2015125427.tif 000019
【図３】
2015125427.tif 000020
【図４】
2015125427.tif 000021
【図５】
2015125427.tif 000022
【図６】
2015125427.tif 000023
【図７】
2015125427.tif 000024
【図８】
2015125427.tif 000025
【図９】
2015125427.tif 000026
【図１０】
2015125427.tif 000027